(57)【特許請求の範囲】
【請求項１】
輝度信号とクロマ信号の混合された信号から櫛形フィルタにより上記クロマ信号の成分を除去し、
残された信号をフィルタ回路に供給してノイズ成分を抽出し、
このノイズ成分を元の上記クロマ信号から減算して上記クロマ信号の雑音を低減するようにした雑音低減回路において、
上記フィルタ回路を１次の高域通過フィルタと２次の帯域通過フィルタとで形成した
ことを特徴とする雑音低減回路。
【請求項２】
上記輝度信号とクロマ信号の混合信号を単位期間の遅延回路に供給し、
上記遅延回路の出力と上記混合信号とを加算回路に供給し、
上記加算回路の出力を１次の高域通過フィルタと２次の帯域通過フィルタの直列回路に供給し、
上記直列回路の出力を元の上記クロマ信号から減算する
ことを特徴とする請求項１記載の雑音低減回路。
【請求項３】
上記１次の高域通過フィルタの遮断特性を急峻にすると共に、
上記２次の帯域通過フィルタのＱを低くした
ことを特徴とする請求項１記載の雑音低減回路。
【発明の詳細な説明】
【０００１】
【発明の属する技術分野】
本発明は、例えば民生用のビデオテープレコーダに使用して好適な雑音低減回路に関するものである。
【０００２】
【従来の技術】
例えば民生用のビデオテープレコーダにおいては、再生された輝度信号とクロマ信号とが混合され、この混合信号から櫛形フィルタによりクロマ信号を分離すると共に、このクロマ信号の雑音を低減する処理が行われている。すなわち図４は、そのような従来の雑音低減回路の構成を示している。
【０００３】
この図４において、例えばビデオテープレコーダの再生回路のようなクロマ信号の信号源４１からのクロマ信号が減算回路４２を通じて加算回路４３に供給される。そして同じく輝度信号の信号源４４からの再生輝度信号及び疑似同期信号が加算回路４３に供給されて、上述の減算回路４２からのクロマ信号と混合される。この混合信号が櫛形フィルタを構成する１水平期間の遅延回路４５に供給される。
【０００４】
さらに上述の櫛形フィルタでは、加算回路４３からの混合信号が減算回路４６に供給され、この混合信号から遅延回路４５の出力信号が減算される。これによってこの減算回路４６では、混合信号中の１水平期間ごとに反転されるクロマ信号の成分のみが取り出される。そしてこの取り出されたクロマ信号が減算回路４６から出力端子４７に取り出される。
【０００５】
また、上述の櫛形フィルタでは、加算回路４３からの混合信号が加算回路４８に供給され、この混合信号に遅延回路４５の出力信号が加算される。これによってこの加算回路４８では、混合信号中の１水平期間ごとに反転されるクロマ信号の成分が相殺され、この加算回路４８からは輝度信号とノイズ成分が取り出されることになる。
【０００６】
そこでこの加算回路４８から取り出された輝度信号とノイズ成分が高域通過フィルタ４９に供給される。これによってこの高域通過フィルタ４９からは低域側の輝度信号の成分が除去され、ノイズ成分のみが取り出される。さらにこのノイズ成分が減算回路４２に供給されて、元のクロマ信号から減算される。このようにしてクロマ信号の雑音を低減する処理が行われる。
【０００７】
【発明が解決しようとする課題】
ところでこのような雑音低減回路において、取り出されたノイズ成分と、元のクロマ信号の位相が一致していないと充分な雑音の低減を行うことができない。そこで上述の雑音低減回路においては、高域通過フィルタ４９として２次のフィルタを用いることで輝度信号成分の除去と同時に、取り出されるノイズ成分の位相の調整が行われるようにされていた。
【０００８】
ところが上述の雑音低減回路において、２次の高域通過フィルタ４９では、輝度信号成分の除去のためにフィルタのＱが高めに設定される。その場合に、このフィルタのＱを高くすることによって、出力信号の位相は図５の曲線▲２▼に示すようになり、例えばフィルタのＱを低く設定した場合（曲線▲１▼）に比べて、中心周波数ｆ０  に対して帯域の端部での位相が大きく変化してしまうことになる。
【０００９】
従ってこの図５の例では、減算回路４２でのノイズ成分と元のクロマ信号との位相差は、例えば中心周波数ｆ０  では一致するものの、帯域の端部（例えばｆ０  ±５００ｋＨｚ）では大きくずれてしまい、雑音の低減ができなくなってしまっていた。このため従来は、Ｑの値と位相のずれを勘案して回路設計を行っていたが、設計が煩雑になり、且つ充分な効果が得られないものであった。
【００１０】
この出願はこのような点に鑑みて成されたものであって、解決しようとする問題点は、従来の回路では、高域通過フィルタによって帯域の端部での位相が大きく変化してしまい、帯域の端部では雑音の低減ができなくなってしまっていたというものである。
【００１１】
【課題を解決するための手段】
このため本発明においては、高域通過フィルタを１次の高域通過フィルタと２次の帯域通過フィルタとで形成するようにしたものであって、これによれば、輝度信号成分の除去が充分に行われると共に、帯域の端部での位相ずれが良好に抑制され、充分な雑音低減の効果を得ることができる。
【００１２】
【発明の実施の形態】
すなわち本発明は、輝度信号とクロマ信号の混合された信号から櫛形フィルタによりクロマ信号の成分を除去し、残された信号をフィルタ回路に供給してノイズ成分を抽出し、このノイズ成分を元のクロマ信号から減算してクロマ信号の雑音を低減するようにした雑音低減回路において、フィルタ回路を１次の高域通過フィルタと２次の帯域通過フィルタとで形成してなるものである。
【００１３】
【実施例】
以下、図面を参照して本発明を説明するに、図１は本発明を適用した雑音低減回路の一例の構成を示すブロック図である。
【００１４】
この図１において、例えばビデオテープレコーダの再生回路のようなクロマ信号の信号源１からのクロマ信号が減算回路２を通じて加算回路３に供給される。そして同じく輝度信号の信号源４からの再生輝度信号及び疑似同期信号が加算回路３に供給されて、上述の減算回路２からのクロマ信号と混合される。この混合信号が櫛形フィルタを構成する１水平期間の遅延回路５に供給される。
【００１５】
さらに上述の櫛形フィルタでは、加算回路３からの混合信号が減算回路６に供給され、この混合信号から遅延回路５の出力信号が減算される。これによってこの減算回路６では、混合信号中の１水平期間ごとに反転されるクロマ信号の成分のみが取り出される。そしてこの取り出されたクロマ信号が減算回路６から出力端子７に取り出される。
【００１６】
また、上述の櫛形フィルタでは、加算回路３からの混合信号が加算回路８に供給され、この混合信号に遅延回路５の出力信号が加算される。これによってこの加算回路８では、混合信号中の１水平期間ごとに反転されるクロマ信号の成分が相殺され、この加算回路８からは輝度信号とノイズ成分が取り出されることになる。
【００１７】
そこでこの加算回路８から取り出された輝度信号とノイズ成分が１次の高域通過フィルタ９と２次の帯域通過フィルタ１０の直列回路に供給される。これによってこの直列回路からは低域側の輝度信号の成分が除去され、ノイズ成分のみが取り出される。さらにこのノイズ成分が減算回路２に供給され、元のクロマ信号から減算されて、クロマ信号の雑音を低減する処理が行われる。
【００１８】
そしてこの回路において、１次の高域通過フィルタ９では輝度信号成分を充分に除去のために急峻な周波数特性にされると共に、２次の帯域通過フィルタ１０のＱの値を低くして、帯域の端部での位相の変化が大きくは生じないようにされる。これによって、輝度信号成分の除去と、取り出されるノイズ成分の位相の調整が行われる。
【００１９】
すなわちこの回路において、２次の帯域通過フィルタ１０のＱの値が低くされることにより、出力信号の位相は、例えば図２の曲線▲３▼から曲線▲４▼に示すようになり、中心周波数ｆ０  に対して帯域の端部（例えばｆ０  ±５００ｋＨｚ）での位相の変化が小さくされる。そして曲線▲５▼に示す１次の高域通過フィルタ９での位相の変化も含めた総合の位相の変化を小さくすることができる。
【００２０】
従ってこの装置において、高域通過フィルタを１次の高域通過フィルタと２次の帯域通過フィルタとで形成することによって、輝度信号成分の除去が充分に行われると共に、帯域の端部での位相ずれが良好に抑制され、充分な雑音低減の効果を得ることができる。
【００２１】
これによって、従来の回路では、高域通過フィルタによって帯域の端部での位相が大きく変化してしまい、帯域の端部では雑音の低減ができなくなってしまっていたものを、本発明によれば、帯域の端部での位相ずれが良好に抑制され、充分な雑音低減の効果を得ることができる。
【００２２】
さらに、例えば色副搬送周波数（ｆｓｃ＝３．５７９５ＭＨｚ）に対する帯域の下側の端部（ｆｓｃ−５００ｋＨｚ＝３．０７９５ＭＨｚ）付近の櫛形フィルタでの周波数特性は図３のＡに示すようになり、各櫛歯の中心周波数ａ、ｂ、ｃにおける対称性が、例えば同図のＢに示す従来のものに比べて向上し、これによっても信号対雑音比が改善され、雑音低減効果が向上されるものである。
【００２３】
こうして上述の雑音低減回路によれば、輝度信号とクロマ信号の混合された信号から櫛形フィルタによりクロマ信号の成分を除去し、残された信号をフィルタ回路に供給してノイズ成分を抽出し、このノイズ成分を元のクロマ信号から減算してクロマ信号の雑音を低減するようにした雑音低減回路において、フィルタ回路を１次の高域通過フィルタと２次の帯域通過フィルタとで形成することにより、帯域の端部での位相ずれが良好に抑制され、充分な雑音低減の効果を得ることができるものである。
【００２４】
【発明の効果】
従って請求項１の発明によれば、高域通過フィルタを１次の高域通過フィルタと２次の帯域通過フィルタとで形成することによって、輝度信号成分の除去が充分に行われると共に、帯域の端部での位相ずれが良好に抑制され、充分な雑音低減の効果を得ることができるものである。
【００２５】
これによって、従来の回路では、高域通過フィルタによって帯域の端部での位相が大きく変化してしまい、帯域の端部では雑音の低減ができなくなってしまっていたものを、本発明によれば、帯域の端部での位相ずれが良好に抑制され、充分な雑音低減の効果を得ることができるものである。
【００２６】
さらに本発明によれば、櫛形フィルタでの周波数特性の対称性が向上し、これによっても信号対雑音比が改善され、雑音低減効果が向上されるものである。
【図面の簡単な説明】
【図１】本発明の適用される雑音低減回路の一例の構成図である。
【図２】その動作の説明のための図である。
【図３】その動作の説明のための図である。
【図４】従来の雑音低減回路の構成図である。
【図５】その説明のための図である。
【符号の説明】
１  クロマ信号の信号源、２  減算回路、３  加算回路、４  輝度信号の信号源、５  １水平期間の遅延回路、６  減算回路、７  出力端子、８  加算回路、９  １次の高域通過フィルタ、１０  ２次の帯域通過フィルタ
【図１】
0003605996.tif 000002
【図２】
0003605996.tif 000003
【図３】
0003605996.tif 000004
【図４】
0003605996.tif 000005
【図５】
0003605996.tif 000006